(57)【要約】【課題】耳掛けアームを柔軟性を有するエラストマー樹脂材を用いて成形しても、少なくともスピーカハウジング支持部の近傍に対して剛性を持たせる。【解決手段】ユーザの左右の耳に対して音声を拡声する左右一対のスピーカハウジング１２Ｌ，１２Ｒと、左右一対のスピーカハウジングを支持する各スピーカハウジング支持部１６ａ，１６ａ及びユーザの左右の耳に掛けられる各Ｕ字状屈曲部１６ａ，１６ａを一体的に左右対称に形成した左右一対の耳掛けアーム１６，１６と、からなる左右一対のイヤホンユニット１１Ｌ，１１Ｒを備えた耳掛け式ヘッドホン１０において、左右一対の耳掛けアーム１６，１６は、柔軟性を有するエラストマー樹脂材を用いて成形する際に、少なくとも各スピーカハウジング支持部１６ａ，１６ａの近傍にエラストマー樹脂材中にインサート成形した左右一対の金属製補強板１７Ｌ，１７Ｒを有することを特徴とするヘッドホン１０を提供する。【選択図】図７
2008211323.tif 000002
【特許請求の範囲】
【請求項１】
ユーザの左右の耳に対して音声を拡声する左右一対のスピーカハウジングと、
前記左右一対のスピーカハウジングを支持する各スピーカハウジング支持部及び前記ユーザの左右の耳に掛けられる各Ｕ字状屈曲部を一体的に左右対称に形成した左右一対の耳掛けアームと、からなる左右一対のイヤホンユニットを備えた耳掛け式ヘッドホンにおいて、
前記左右一対の耳掛けアームは、少なくとも前記各スピーカハウジング支持部の近傍にエラストマー樹脂材中にインサート成形した左右一対の金属製補強板を有することを特徴とする耳掛け式ヘッドホン。
【請求項２】
ユーザの左右の耳のいずれか一方の耳に対して音声を拡声するスピーカハウジングと、
前記スピーカハウジングを支持するスピーカハウジング支持部及び前記ユーザの一方の耳に掛けられるＵ字状屈曲部を一体的に形成した耳掛けアームと、を備えた耳掛け式イヤホンにおいて、
前記耳掛けアームは、少なくとも前記スピーカハウジング支持部の近傍にエラストマー樹脂材中にインサート成形した金属製補強板を有することを特徴とする耳掛け式イヤホン。
【発明の詳細な説明】
【技術分野】
【０００１】
本発明は、スピーカハウジングと、スピーカハウジングを支持するスピーカハウジング支持部及びユーザの耳に掛けられるＵ字状屈曲部を一体的に形成した耳掛けアームとでイヤホンユニットを構成した際、耳掛けアームに対して柔軟性を有するエラストマー樹脂材を用いて成形しても、少なくともスピーカハウジング支持部の近傍に対して剛性を持たせ、且つ、Ｕ字状屈曲部に対してエラストマー樹脂材の弾性性能をそのまま利用することができる構造形態の耳掛け式ヘッドホン及び耳掛け式イヤホンに関するものである。
【背景技術】
【０００２】
一般的に、ヘッドホンは、携帯型のＣＤ（Ｃｏｎｐａｃｔ  Ｄｉｓｃ）プレーヤ，携帯型のＤＶＤ（Ｄｉｇｉｔａｌ  Ｖｅｒｓａｔｉｌｅ  Ｄｉｓｃ）プレーヤ，携帯型のＭＤ（Ｍｉｎｉ  Ｄｉｓｃ）プレーヤ，携帯型の液晶テレビなどのＡＶ（Ａｕｄｉｏ  Ｖｉｄｅｏ）機器から出力された左右（ＬＲ）の音声信号を左右一対のコードを介して左右一対のスピーカハウジングに入力し、これら左右（ＬＲ）の音声信号を左右一対のスピーカハウジング内に収納した各小型スピーカによりユーザの左右の耳もとで拡声にするように構成されているものであり、この種のヘッドホンのうちでヘッドバンドを用いない耳掛け式のヘッドホンが最近多用されている。
【０００３】
この耳掛け式のヘッドホンの一例として、軽量で、装着性を向上させることができるものがある。（例えば、特許文献１参照）。
【特許文献１】特開２００３−１４３６８０号公報
【０００４】
図８は従来の耳掛け式のヘッドホンを示した斜視図である。
【０００５】
図８に示した従来の耳掛け式のヘッドホン１００は、上記した特許文献１（特開２００３−１４３６８０号公報）に開示されているものであり、ここでは特許文献１を参照して簡略に説明する。
【０００６】
図８に示した如く、従来の耳掛け式ヘッドホン１００では、ユーザの左耳に装着される左ユニット１０１Ｌと、ユーザの右耳に装着される右ユニット１０１Ｒとが左右対称に構成されている。
【０００７】
また、左右のユニット１０１Ｌ，１０１Ｒは、動電型の電気音響変換器（図示せず）をそれぞれ収納した左右一対のハウジング部１０２Ｌ，１０２Ｒと、左右一対のハウジング部１０２Ｌ，１０２Ｒを支持しながらユーザの左右の耳に掛けられる左右一対のアーム状ガイド部１０３Ｌ，１０３Ｒとからなり、左側のハウジング部１０２Ｌと左側のアーム状ガイド部１０３Ｌとを組として左耳用として一体化され、一方，右側のハウジング部１０２Ｒと右側のアーム状ガイド部１０３Ｒとを組として右耳用として一体化されている。
【０００８】
この際、左右一対のアーム状ガイド部１０３Ｌ，１０３Ｒは、左右一対のハウジング部１０２Ｌ，１０２Ｒを支持する各支持部１０３ａ，１０３ａが略カップ状に形成され、且つ、各支持部１０３ａ，１０３ａに連接して各屈曲部１０３ｂ，１０３ｂがユーザの左右の耳に掛けられるように略Ｕ字状に形成され、更に、各屈曲部１０３ｂ，１０３ｂの下方に連接して各押圧部１０３ｃ，１０３ｃがユーザの左右の耳介背面を弾性的に押圧するように略く字状に形成されている。
【０００９】
また、左右一対のハウジング部１０２Ｌ，１０２Ｒそれぞれは、各振動板１０２ａ，１０２ａを、左右一対のアーム状ガイド部１０３Ｌ，１０３Ｒの各屈曲部１０３ｂ，１０３ｂで構成する面に略垂直で、且つ、ヘッドホン１００を装着した際のユーザの顔面側に配置されている。
【００１０】
更に、左右のユニット１０１Ｌ，１０１Ｒそれぞれは、左右一対のハウジング部１０２Ｌ，１０２Ｒの各内部に収納された動電型の電気音響変換器（図示せず）へ電気信号を供給するための左右一対のコード１０４Ｌ，１０４Ｒが接続されており、これらのコード１０４Ｌ，１０４Ｒの先端に電気信号供給源（図示せず）に着脱するためのプラグ１０５が取り付けられている。
【００１１】
そして、上記のように従来の耳掛け式のヘッドホン１００を構成することにより、ユーザは、左右の耳の付け根に左右一対のアーム状ガイド部１０３Ｌ，１０３Ｒを沿わせながら、容易に、左右一対のハウジング部１０２Ｌ，１０２Ｒをユーザの左右の耳の耳穴に収納させることができ、このとき、各押圧部１０３ｃ，１０３ｃを耳介背面から弾性的に押圧することにより、装着を確実にすることができ、さらに、各振動板１０２ａ，１０２ａの垂直配置により各振動板１０２ａ，１０２ａからの音の大部分が直接鼓膜に伝わり、人により異なる外耳道やこの外耳道入口周辺の形状に影響されることが比較的少なく、良好な音質を得ることができると共に、耳介の大きさに影響されず良好に装着することができ、その結果、ヘッドホン１００の装着感を向上させることができ、聴取音質を向上させることができるという効果を奏する旨が開示されている。
【発明の開示】
【発明が解決しようとする課題】
【００１２】
ところで、上記した従来の耳掛け式のヘッドホン１００では、左右のユニット１０１Ｌ，１０１Ｒをヘッドバンドを用いることなくユーザの左右の耳に掛けることにより軽量化ができるものの、左右のユニット１０１Ｌ，１０１Ｒの一部を構成する左右一対のアーム状ガイド部１０３Ｌ，１０３Ｒは、一般的に弾性を有する樹脂材を用いて各支持部１０３ａ，１０３ａと各屈曲部１０３ｂ，１０３ｂと各押圧部１０３ｃ，１０３ｃとが一体的に成形加工により製作されるものであるが、左右一対のハウジング部１０２Ｌ，１０２Ｒを支持する各支持部１０３ａ，１０３ａの近傍は剛性を高める必要があり、一方、ユーザの左右の耳に掛けられる各屈曲部１０３ｂ，１０３ｂとユーザの左右の耳介背面を弾性的に押圧する各押圧部１０３ｃ，１０３ｃは柔軟性を持たせる必要があり、これらの条件を満たした上で同一の樹脂材のみを用いて一体的に成形加工するには無理が生じ易い。
【００１３】
言い換えると、左右一対のアーム状ガイド部１０３Ｌ，１０３Ｒを同一の樹脂材のみを用いて一体的に成形加工する場合に、各支持部１０３ａ，１０３ａに対して剛性を高めるには厚みとか幅を大きく設定し、一方、各屈曲部１０３ｂ，１０３ｂ及び各押圧部１０３ｃ，１０３ｃを柔軟性を持たせるには直径を細く設定しなければならないので、成形加工に無理が生じ易いと共に、各屈曲部１０３ｂ，１０３ｂ及び各押圧部１０３ｃ，１０３ｃが破損し易いなどの問題点も発生する。
【００１４】
そこで、スピーカハウジングと、スピーカハウジングを支持するスピーカハウジング支持部及びユーザの耳に掛けられるＵ字状屈曲部を一体的に形成した耳掛けアームとでイヤホンユニットを構成した際、耳掛けアームに対して柔軟性を有するエラストマー樹脂材を用いて成形しても、少なくともスピーカハウジング支持部の近傍に対して剛性を持たせ、且つ、Ｕ字状屈曲部に対してエラストマー樹脂材の弾性を利用することができる構造形態の耳掛け式ヘッドホン及び耳掛け式イヤホンが望まれている。
【課題を解決するための手段】
【００１５】
本発明は上記課題に鑑みてなされたものであり、請求項１記載の発明は、ユーザの左右の耳に対して音声を拡声する左右一対のスピーカハウジングと、
前記左右一対のスピーカハウジングを支持する各スピーカハウジング支持部及び前記ユーザの左右の耳に掛けられる各Ｕ字状屈曲部を一体的に左右対称に形成した左右一対の耳掛けアームと、からなる左右一対のイヤホンユニットを備えた耳掛け式ヘッドホンにおいて、
前記左右一対の耳掛けアームは、少なくとも前記各スピーカハウジング支持部の近傍にエラストマー樹脂材中にインサート成形した左右一対の金属製補強板を有することを特徴とする耳掛け式ヘッドホンである。
【００１６】
また、請求項２記載の発明は、ユーザの左右の耳のいずれか一方の耳に対して音声を拡声するスピーカハウジングと、
前記スピーカハウジングを支持するスピーカハウジング支持部及び前記ユーザの一方の耳に掛けられるＵ字状屈曲部を一体的に形成した耳掛けアームと、を備えた耳掛け式イヤホンにおいて、
前記耳掛けアームは、少なくとも前記スピーカハウジング支持部の近傍にエラストマー樹脂材中にインサート成形した金属製補強板を有することを特徴とする耳掛け式イヤホンである。
【発明の効果】
【００１７】
請求項１記載の耳掛け式ヘッドホンによると、ユーザの左右の耳に対して音声を拡声する左右一対のスピーカハウジングと、左右一対のスピーカハウジングを支持する各スピーカハウジング支持部及びユーザの左右の耳に掛けられる各Ｕ字状屈曲部を一体的に左右対称に形成した左右一対の耳掛けアームと、からなる左右一対のイヤホンユニットを備えた耳掛け式ヘッドホンにおいて、とくに、ユーザの左右の耳に掛けられる左右一対の耳掛けアームに対して柔軟性を有するエラストマー樹脂材を用いて成形した際に、少なくとも各スピーカハウジング支持部の近傍にエラストマー樹脂材中にインサート成形した左右一対の金属製補強板を有しているので、左右一対のスピーカハウジングを左右一対の耳掛けアームの各スピーカハウジング支持部でしっかりと支持することができると共に、各Ｕ字状屈曲部はエラストマー樹脂材の弾性性能をそのまま利用できるので、ユーザの左右の耳に対して装着感良く掛けることができる。
【００１８】
また、請求項２記載の耳掛け式イヤホンによると、ユーザの左右の耳のいずれか一方の耳に対して音声を拡声するスピーカハウジングと、スピーカハウジングを支持するスピーカハウジング支持部及びユーザの一方の耳に掛けられるＵ字状屈曲部を一体的に形成した耳掛けアームと、を備えた耳掛け式イヤホンにおいて、とくに、ユーザの一方の耳に掛けられる耳掛けアームに対して柔軟性を有するエラストマー樹脂材を用いて成形した際に、少なくともスピーカハウジング支持部の近傍にエラストマー樹脂材中にインサート成形した金属製補強板を有しているので、スピーカハウジングを耳掛けアームのスピーカハウジング支持部でしっかりと支持することができると共に、Ｕ字状屈曲部はエラストマー樹脂材の弾性性能をそのまま利用できるので、ユーザの一方の耳に対して装着感良く掛けることができる。
【発明を実施するための最良の形態】
【００１９】
以下に本発明に係る耳掛け式ヘッドホン及び耳掛け式イヤホンの一実施例について図１〜図７を参照して詳細に説明する。
【実施例】
【００２０】
図１（ａ）〜（ｃ）は本発明に係る耳掛け式ヘッドホン及び耳掛け式イヤホンを説明するための斜視図、
図２（ａ）〜（ｄ）は図１に示した左側の耳掛けアームを説明するための図、
図３（ａ）〜（ｄ）は図１に示した右側の耳掛けアームを説明するための図、
図４（ａ），（ｂ）は図１に示した左右の耳掛けアームの各スピーカハウジング支持部の近傍に対して補強するための左右一対の金属性補強板を示した斜視図、
図５（ａ），（ｂ）は図１に示した左側の化粧板を示した斜視図、
図６（ａ），（ｂ）は図１に示した右側の化粧板を示した斜視図、
図７は図１に示した右側のイヤホンユニットのみを分解して示した分解斜視図である。
【００２１】
図１（ａ）〜（ｃ）に示した如く、本発明に係る耳掛け式ヘッドホン１０では、ユーザの左耳に装着される左側のイヤホンユニット１１Ｌと、ユーザの右耳に装着される右側のイヤホンユニット１１Ｒとが左右対称に構成されている。
【００２２】
また、左右のイヤホンユニット１１Ｌ，１１Ｒは、ユーザの左右の耳に対して音声を拡声する左右一対のスピーカハウジング１２Ｌ，１２Ｒと、左右一対のスピーカハウジング１２Ｌ，１２Ｒを嵌合するために略カップ状に形成された左右一対のカップ１５Ｌ，１５Ｒと、左右一対のスピーカハウジング１２Ｌ，１２Ｒを嵌合した左右一対のカップ１５Ｌ，１５Ｒを支持しながらユーザの左右の耳に掛けられる左右一対の耳掛けアーム１６Ｌ，１６Ｒとからなり、左側のスピーカハウジング１２Ｌと左側のカップ１５Ｌと左側の耳掛けアーム１６Ｌとを組として左耳用として一体化され、一方、右側のスピーカハウジング１２Ｒと右側のカップ１５Ｒと右側の耳掛けアーム１６Ｒとを組として右耳用として一体化されている。
【００２３】
まず、上記した左右一対のスピーカハウジング１２Ｌ，１２Ｒそれぞれは、複数の放音孔１３ａを形成した各前面キャップ１３，１３の裏面側に各小型スピーカ１４，１４が取り付けられており、且つ、各前面キャップ１３，１３の裏面に不図示のナイロン布を貼り付けることで各小型スピーカ１４，１４に対して防滴対策が施されている。
【００２４】
そして、左右一対のスピーカハウジング１２Ｌ，１２Ｒそれぞれは、後述する左右一対の耳掛けアーム１６Ｌ，１６Ｒの各スピーカハウジング支持部１６ａ，１６ａ内に嵌合された左右一対のカップ１５Ｌ，１５Ｒ内に着脱自在に取り付けられている。
【００２５】
尚、左右一対のスピーカハウジング１２Ｌ，１２Ｒと左右一対のカップ１５Ｌ，１５Ｒとで左右一対のスピーカハウジングとみなして構成しても良いものである。
【００２６】
次に、上記した左右一対の耳掛けアーム１６Ｌ，１６Ｒそれぞれは、図２及び図３にも示した如く、柔軟性を有するエラストマー樹脂材を用いて、各スピーカハウジング支持部１６ａ，１６ａと、各Ｕ字状屈曲部１６ｂ，１６ｂと、各押圧部１６ｃ，１６ｃと、各コード挿通部１６ｄ，１６ｄと、各段差部１６ｅ，１６ｅとが左右対称に一体的に成形されている。
【００２７】
ここで、本発明の要部となる左右一対の耳掛けアーム１６Ｌ，１６Ｒの各部をより具体的に説明すると、各スピーカハウジング支持部１６ａ，１６ａは、左右一対のスピーカハウジング１２Ｌ，１２Ｒ（図１，図７）を嵌合した左右一対のカップ１５Ｌ，１５Ｒ（図１，図７）を係合するための各孔１６ａ１，１６ａ１を穿設した状態でユーザの左右の耳側に向かって略円筒状に短尺に形成されており、且つ、各孔１６ａ１，１６ａ１は各段差部１６ｅ，１６ｅに形成した各孔１６ｅ１，１６ｅ１に通じている。
【００２８】
また、各Ｕ字状屈曲部１６ｂ，１６ｂは、各スピーカハウジング支持部１６ａ，１６ａの一方側に連接しており、ユーザの左右の耳に掛けられるように略Ｕ字状に形成されている。
【００２９】
また、押圧部１６ｃ，１６ｃは、各Ｕ字状屈曲部１６ｂ，１６ｂの下方に連接しており、ユーザの左右の耳介背面を弾性的に押圧するように各Ｕ字状屈曲部１６ｂ，１６ｂよりも肉厚を厚くし且つ幅を広めて形成されている。
【００３０】
また、各コード挿通部１６ｄ，１６ｄは、各スピーカハウジング支持部１６ａ，１６ａの他方側に連接しており、後述する左右一対のコード２１Ｌ，２１Ｒ（図１、図７）を挿通させるための各孔１６ｄ１，１６ｄ１が各スピーカハウジング支持部１６ａ，１６ａに穿設した各孔１６ａ１，１６ａ１に通じるように穿設されている。
【００３１】
また、各段差部１６ｅ，１６ｅは、各スピーカハウジング支持部１６ａ，１６ａの各裏面側の近傍に一段引っ込んで弓形状に形成されており、各段差部１６ｅ，１６ｅに後述する左右一対の化粧板１８Ｌ，１８Ｒ（図１，図５〜図７）が嵌め込まれるようになっている。
【００３２】
この際、左右一対の耳掛けアーム１６Ｌ，１６Ｒに用いられるエラストマー樹脂材は、Ｈｓ硬度が略８５度程度に設定されているために、ユーザの左右の耳に装着される各Ｕ字状屈曲部１６ｂ，１６ｂ及び各押圧部１６ｃ，１６ｃはエラストマー樹脂材の弾性性能をそのまま利用できるので、ユーザの左右の耳に対して装着感良く掛けることができるものの、左右一対のスピーカハウジング１２Ｌ，１２Ｒを左右一対のカップ１５Ｌ，１５Ｒを介して支持する各スピーカハウジング支持部１６ａ，１６ａの近傍は剛性を高める必要がある。
【００３３】
そこで、本発明では、左右一対の耳掛けアーム１６Ｌ，１６Ｒ中で各スピーカハウジング支持部１６ａ，１６ａの近傍と、各Ｕ字状屈曲部１６ｂ，１６ｂ中で各スピーカハウジング支持部１６ａ，１６ａ側の各部位とに、板厚Ｔが０．５ｍｍ程度に設定された左右一対の金属性補強板１７Ｌ，１７Ｒをエラストマー樹脂材中にインサート成形して補強対策を施している。
【００３４】
これにより、左右一対の耳掛けアーム１６Ｌ，１６Ｒは、各スピーカハウジング支持部１６ａ，１６ａの近傍と、各Ｕ字状屈曲部１６ｂ，１６ｂ中で各スピーカハウジング支持部１６ａ，１６ａ側の各部位とが左右一対の金属性補強板１７Ｌ，１７Ｒを介して剛性を持つので、左右一対のスピーカハウジング１２Ｌ，１２Ｒを左右一対のカップ１５Ｌ，１５Ｒを介して左右一対の耳掛けアーム１６Ｌ，１６Ｒの各スピーカハウジング支持部１６ａ，１６ａでしっかりと支持することができると共に、各Ｕ字状屈曲部１６ｂ，１６ｂ及び各押圧部１６ｃ，１６ｃは上述したようにエラストマー樹脂材の弾性性能をそのまま利用できるので、ユーザの左右の耳に対して装着感良く掛けることができる。
【００３５】
この際、上記した左右一対の金属性補強板１７Ｌ，１７Ｒは、図４（ａ），（ｂ）に示した如く、例えば板厚Ｔが０．５ｍｍ程度に設定されたステンレス板を用いて左右対称に略く字状に形成されており、左右一対の耳掛けアーム１６Ｌ，１６Ｒ中で各スピーカハウジング支持部１６ａ，１６ａに穿設した各孔１６ａ１，１６ａ１及び各段差部１６ｅ，１６ｅに形成した各孔１６ｅ１，１６ｅ１と対応した各孔１７ａ，１７ａが大径に穿設されていると共に、各段差部１６ｅ，１６ｅに形成した各孔１６ｅ２，１６ｅ２と対応した各孔１７ｂ，１７ｂが小径に穿設されており、更に、インサート成形時に位置決めするための複数の位置決め孔１７ｃが小径に穿設されている。
【００３６】
尚、この実施例では、左右一対の耳掛けアーム１６Ｌ，１６Ｒに対して、各スピーカハウジング支持部１６ａ，１６ａの近傍と、各Ｕ字状屈曲部１６ｂ，１６ｂ中で各スピーカハウジング支持部１６ａ，１６ａ側の各部位とを左右一対の金属性補強板１７Ｌ，１７Ｒにより補強しているが、少なくとも各スピーカハウジング支持部１６ａ，１６ａの近傍に対して左右一対の金属性補強板により補強すれば良いものである。
【００３７】
更に、左右一対の耳掛けアーム１６Ｌ，１６Ｒの各段差部１６ｅ，１６ｅに嵌め込まれる左右一対の化粧板１８Ｌ，１８Ｒは、左右一対のイヤホンユニット１１Ｌ，１１Ｒに対して外観上でのデザイン性を向上させるものである。
【００３８】
上記した左右一対の化粧板１８Ｌ，１８Ｒは、図５及び図６に示した如く、ＡＢＳ樹脂を用いて成形した各表面１８ａ，１８ａに光沢メッキが施されていると共に、各裏面１８ｂ，１８ｂに第１，第２ネジ孔用ボス１８ｂ１，１８ｂ２が形成されている。
【００３９】
尚、左右一対の化粧板１８Ｌ，１８Ｒを必要としない場合には、左右一対の耳掛けアーム１６Ｌ，１６Ｒの各スピーカハウジング支持部１６ａ，１６ａの各裏面側の近傍に各段差部１６ｅ，１６ｅを設けずに、この部分をエラストマー樹脂材で埋めれば良いものである。
【００４０】
そして、左右一対のイヤホンユニット１１Ｌ，１１Ｒのうちで例えば右側のイヤホンユニット１１Ｒを組み立てる場合に、図７に分解して示した如く、右側のカップ１５Ｒはカップ部１５ａの一端に係合部１５ｂが弾性変位可能に突出形成されているので、この係合部１５ｂを右側の耳掛けアーム１６Ｒのスピーカハウジング支持部１６ａに形成した孔１６ａ１内に嵌合させた後、長いネジ１９を右側のカップ１５Ｒのカップ部１５ａに形成した孔１５ａ１から挿入し、更に、スピーカハウジング支持部１６ａに形成した孔１６ａ１内と段差部１６ｅに形成した孔１６ｅ１内とを順に通過させた後に右側の化粧板１８Ｒの裏面１８ｂに形成した第１ネジ孔用ボス１８ｂ１に螺合させると共に、短いネジ２０を段差部１６ｅに形成した孔１６ｅ２内を通過させた後に右側の化粧板１８Ｒの裏面１８ｂに形成した第２ネジ孔用ボス１８ｂ２に螺合させることで、右側の耳掛けアーム１６Ｒの段差部１６ｅを覆うように右側の化粧板１８Ｒが取り付けられる。
【００４１】
この後、右側の耳掛けアーム１６Ｒのコード挿通部１６ｄに形成した孔１６ｄ１内に挿入した右側のコード２１Ｒを、スピーカハウジング支持部１６ａに形成した孔１６ａ１と、右側のカップ１５Ｒのカップ部１５ａに形成した孔１５ａ１とを順に通過させて前面キャップ１３の裏面側に取り付けた小型スピーカ１４の裏面に半田付けした後、右側のスピーカハウジング１２Ｒを右側のカップ１５Ｒのカップ部１５ａに形成した孔１５ａ１内に嵌合させている。
【００４２】
そして、右側に対して対称な左側のイヤホンユニット１１Ｌも右側のイヤホンユニット１１Ｒと同様に組み立てて、図１に示したように左右一対の耳掛けアーム１６Ｌ，１６Ｒから延出された左右一対のコード２１Ｌ，２１Ｒをストッパ２２で束ねた後に各コード２１Ｌ，２１Ｒの先端に電気信号供給源（図示せず）に着脱するためのプラグ２３を取り付けている。
【００４３】
尚、本発明に係る耳掛け式イヤホンは、ユーザの左耳又は右耳のいずれか一方の耳に装着するように予め装着する耳側を指定して、左側のイヤホンユニット１１Ｌのみ、又は、右側のイヤホンユニット１１Ｒのみとして構成すれば良いものである。
【００４４】
この場合でも、耳掛け式イヤホン中の耳掛けアームは、柔軟性を有するエラストマー樹脂材を用いて成形され、且つ、少なくともスピーカハウジング支持部の近傍に金属製補強板をインサート成形したものである。
【００４５】
従って、本発明に係る耳掛け式イヤホンでも、耳掛けアーム中で少なくともスピーカハウジング支持部の近傍は金属性補強板を介して剛性を持つので、スピーカハウジングを耳掛けアームのスピーカハウジング支持部でしっかりと支持することができると共に、Ｕ字状屈曲部はエラストマー樹脂材の弾性性能をそのまま利用できるので、ユーザの一方の耳に対して装着感良く掛けることができる。
【図面の簡単な説明】
【００４６】
【図１】（ａ）〜（ｃ）は本発明に係る耳掛け式ヘッドホン及び耳掛け式イヤホンを説明するための斜視図である。
【図２】（ａ）〜（ｄ）は図１に示した左側の耳掛けアームを説明するための図である。
【図３】（ａ）〜（ｄ）は図１に示した右側の耳掛けアームを説明するための図である。
【図４】（ａ），（ｂ）は図１に示した左右の耳掛けアームの各スピーカハウジング支持部の近傍に対して補強するための左右一対の金属性補強板を示した斜視図である。
【図５】（ａ），（ｂ）は図１に示した左側の化粧板を示した斜視図である。
【図６】（ａ），（ｂ）は図１に示した右側の化粧板を示した斜視図である。
【図７】図１に示した右側のイヤホンユニットのみを分解して示した分解斜視図である。
【図８】従来の耳掛け式のヘッドホンを示した斜視図である。
【符号の説明】
【００４７】
１０…耳掛け式ヘッドホン、
１１Ｌ，１１Ｒ…左右一対のイヤホンユニット、
１２Ｌ，１２Ｒ…左右一対のスピーカハウジング、
１３…前面キャップ、１４…小型スピーカ、
１５Ｌ，１５Ｒ…左右一対のカップ、
１６Ｌ，１６Ｒ…左右一対の耳掛けアーム、
１６ａ…スピーカハウジング支持部、１６ｂ…Ｕ字状屈曲部、１６ｃ…押圧部、
１６ｄ…コード挿通部、１６ｅ…段差部、
１７Ｌ，１７Ｒ…左右一対の金属性補強板、
１８Ｌ，１８Ｒ…左右一対の化粧板、１９，２０…ネジ、
２１Ｌ，２１Ｒ…左右一対のコード、２２…ストッパ、２３…プラグ。
【図１】
2008211323.tif 000003
【図２】
2008211323.tif 000004
【図３】
2008211323.tif 000005
【図４】
2008211323.tif 000006
【図５】
2008211323.tif 000007
【図６】
2008211323.tif 000008
【図７】
2008211323.tif 000009
【図８】
2008211323.tif 000010